(57)【要約】 【課題】  構造が単純で、製造コストの低減が容易な二共振アンテナ及びその製造方法を提供すること。【解決手段】  給電部金具１１に接続されたヘリカルコイル導体１２と、ヘリカルコイル導体１２の内側に配置され給電部金具１１及びヘリカルコイル導体１２に容量結合するパイプ導体１３と、ヘリカルコイル導体１２を保持する溝が外周面に設けられ、パイプ導体１３を内部に収納する円柱状の空洞が設けられた導体固定用の高分子成形体１４と、ヘリカルコイル導体１２を外側から被覆して外装すると共にパイプ導体１３の内側を充填する外装用の高分子成形体１５とを備える二共振アンテナである。【選択図】  図１
2005175607.tif 000002
【特許請求の範囲】
【請求項１】
給電部に接続されたヘリカルコイル導体と、前記ヘリカルコイル導体の内側に配置され、前記給電部及び前記ヘリカルコイル導体に容量結合するパイプ導体とを備えることを特徴とする二共振アンテナ。
【請求項２】
前記ヘリカルコイル導体を保持する溝を外周面に有し、前記パイプ導体を内部に収納する円柱状の空洞を有する導体固定用の高分子成形体を備えることを特徴とする請求項１記載の二共振アンテナ。
【請求項３】
前記ヘリカルコイル導体を外側から被覆して外装すると共に、前記パイプ導体の内側を充填する外装用の高分子成形体を備えることを特徴とする請求項１又は２記載の二共振アンテナ。
【請求項４】
前記給電部は前記導体固定用の高分子成形体の一端に当接する端面と、前記ヘリカルコイル導体に接続される円周面とを有することを特徴とする請求項１から３のいずれかに記載の二共振アンテナ。
【請求項５】
給電部金具に接続されたヘリカルコイル導体と、前記ヘリカルコイル導体の内側に配置され前記給電部金具及び前記ヘリカルコイル導体に容量結合するパイプ導体と、前記ヘリカルコイル導体を保持する溝が外周面に設けられ前記パイプ導体を内部に収納する円柱状の空洞が設けられた導体固定用の高分子成形体と、前記ヘリカルコイル導体を外側から被覆して外装すると共に前記パイプ導体の内側を充填する外装用の高分子成形体とを備える二共振アンテナの製造方法であって、前記給電部金具に前記導体固定用の高分子成形体及び前記ヘリカルコイル導体を取り付ける工程と、前記導体固定用の高分子成形体の空洞内に前記パイプ導体を配置する工程と、前記ヘリカルコイル導体を外側から被覆すると共に前記パイプ導体の内側を充填する様に外装用の高分子材料を成形する工程を含むことを特徴とする二共振アンテナの製造方法。
【発明の詳細な説明】
【技術分野】
【０００１】
本発明は、無線機用の二共振アンテナ及びその製造方法に関し、特に二つの周波数帯域で動作する携帯無線機に好適な二共振アンテナ及びその製造方法に関する。
【背景技術】
【０００２】
従来の携帯無線機用の二共振アンテナの例として、携帯無線機の筐体の外側に配置される部分を小さくしたヘリカルアンテナがある。このとき二つの周波数帯域で動作できるように二重のヘリカルコイルからなるヘリカルアンテナがある。この技術は、例えば特許文献１に開示されている。
【０００３】
この従来例のデュアルバンドアンテナを図７に断面図で示す。５１１は第１のヘリカル、５１２は第２のヘリカル、５１３は基部金具、５１３−１はカバー取り付け部、５１３−２はアンテナ取り付け部である。この構造により、８００ＭＨｚ及び１．９ＧＨｚでの二つの共振が得られている。
【０００４】
【特許文献１】特開平１０−３２２１２２号公報
【発明の開示】
【発明が解決しようとする課題】
【０００５】
上記従来技術においては、二つのヘリカルコイルを用いて二つの共振点を得るので、ヘリカルコイルの形状を精密に制御する必要があり、またヘリカルコイルの変形を避ける製造工程が必要である。
【０００６】
この状況にあって、本発明の課題は、構造が単純で、製造コストの低減が容易な二共振アンテナ及びその製造方法を提供することにある。
【課題を解決するための手段】
【０００７】
上記課題を解決するために、本発明の二共振アンテナは、給電部に接続されたヘリカルコイル導体と、前記ヘリカルコイル導体の内側に配置され、前記給電部及び前記ヘリカルコイル導体に容量結合するパイプ導体とを備えることを特徴とする。
【０００８】
また本発明の二共振アンテナは、前記ヘリカルコイル導体を保持する溝を外周面に有し、前記パイプ導体を内部に収納する円柱状の空洞を有する導体固定用の高分子成形体を備えるとよい。
【０００９】
また本発明の二共振アンテナは、前記ヘリカルコイル導体を外側から被覆して外装すると共に、前記パイプ導体の内側を充填する外装用の高分子成形体を備えるとよい。
【００１０】
また前記給電部は、前記導体固定用の高分子成形体の一端に当接する端面と、前記ヘリカルコイル導体に接続される円周面とを有するとよい。
【００１１】
本発明の二共振アンテナの製造方法は、給電部金具に接続されたヘリカルコイル導体と、前記ヘリカルコイル導体の内側に配置され前記給電部金具及び前記ヘリカルコイル導体に容量結合するパイプ導体と、前記ヘリカルコイル導体を保持する溝が外周面に設けられ前記パイプ導体を内部に収納する円柱状の空洞が設けられた導体固定用の高分子成形体と、前記ヘリカルコイル導体を外側から被覆して外装すると共に前記パイプ導体の内側を充填する外装用の高分子成形体とを備える二共振アンテナの製造方法であって、前記給電部金具に前記導体固定用の高分子成形体及び前記ヘリカルコイル導体を取り付ける工程と、前記導体固定用の高分子成形体の空洞内に前記パイプ導体を配置する工程と、前記ヘリカルコイル導体を外側から被覆すると共に前記パイプ導体の内側を充填する様に外装用の高分子材料を成形する工程を含むことを特徴とする。
【発明の効果】
【００１２】
本発明においては、二つのヘリカルコイル導体を用いるのに変えて、一つのヘリカルコイル導体とその内側に配置される一つのパイプ導体を用いたので、製造工程での取り扱いの容易なパイプ導体を用いた分、ヘリカルコイル導体の変形などに伴う共振点のばらつきを低減できる。
【００１３】
すなわち、本発明によれば、構造が単純で製造の容易な二共振アンテナ及びその製造方法を提供できる。
【発明を実施するための最良の形態】
【００１４】
次に、本発明を実施するための最良の形態を図面に基づいて説明する。
【００１５】
図１は、本実施の形態の二共振アンテナを示す部分断面図であり、断面にはヘリカルコイル導体の断面を除いてハッチングを施した。１１は給電部金具、１２はヘリカルコイル導体、１３はパイプ導体、１４は導体固定用の高分子成形体、１５は外装用の高分子成形体である。
【００１６】
図２は、本実施の形態で用いるヘリカルコイル導体及びパイプ導体を示し、図２（ａ）はヘリカルコイル導体を示す正面図、図２（ｂ）はパイプ導体を示す斜視図である。
【００１７】
図３は、本実施の形態で用いる導体固定用の高分子成形体を示す正面図である。その全体としての形状は一端に開口部を有する筒状であり、１６はパイプ導体を収納する空洞、１７はヘリカルコイル導体を保持する溝、１８は給電部金具との当接面である。
【００１８】
図４は、本実施の形態で用いる給電部金具を示す斜視図であり、１９は導体固定用の高分子成形体との当接面、２０はヘリカルコイル導体との接続用円周面、２１は携帯無線機の筐体への取り付け部である。この様な構造を本実施の形態の二共振アンテナは有する。
【００１９】
次に、本実施の形態の二共振アンテナの作製について順を追って説明する。
【００２０】
まず、ヘリカルコイル導体は、図２（ａ）で示した形状に、直径０．５ｍｍのリン青銅を５〜６ターンだけ巻いて作製する。
【００２１】
パイプ導体は、図２（ｂ）で示した形状であり、直径３．５ｍｍ×長さ８．５ｍｍ×厚さ０．３ｍｍの真鍮製とした。
【００２２】
導体固定用の高分子成形体は、図３の形状にナイロン６６を射出成形して作製した。
【００２３】
給電部金具は、図４の形状に銅合金を切削加工して、めっきを施して作製した。
【００２４】
これらを組み合わせて、図５に正面図で示す二共振アンテナの半製品を得た。このとき、ヘリカルコイル導体１２の一端は、給電部金具１１の接続用円周面２０（図４参照）と機械的かつ電気的に接続する。また導体固定用の高分子成形体１４における給電金具との当接面１８（図３参照）と、給電部金具１１における導体固定用の高分子成形体との当接面１９（図４参照）とが接する様に固定される。同時に、ヘリカルコイル導体１２は導体固定用の高分子成形体１４の溝１７（図３参照）により保持される。更に導体固定用の高分子成形体１４に設けられた空洞１６（図３参照）に、パイプ導体１３（図２（ｂ）参照）を半固定する。
【００２５】
この半製品をＡＢＳ樹脂（アクリロニトリル-ブタジエン-スチレン樹脂）で外装して、その外観を図６に正面図で示す二共振アンテナを得た。このとき、図１に示した様に、ＡＢＳ樹脂からなる外装用の高分子成形体１５はヘリカルコイル導体１２を外側から被覆すると共に、パイプ導体１３の内側を充填して固定する。この様にして、パイプ導体１３を給電部金具１１及びヘリカルコイル導体１２に容量結合させる。
【００２６】
この二共振アンテナの特性として、周波数１０００ＭＨｚでのＶＳＷＲ（Voltage Standing Wave Ratio）は２．７であり、周波数２０００ＭＨｚでのＶＳＷＲは２．４であり、放射効率は約９０％であった。
【００２７】
この製作工程は以上に説明したとおりであり、従来例と比較して、用いるヘリカルコイル導体は１個であり、また、このヘリカルコイル導体も導体固定用の高分子成形体の溝で保持したので、製作工程における変形による共振周波数のずれを防止できる。
【００２８】
更に、本発明で用いるパイプ導体は、その軸の回りに回転変位して配置されても、ヘリカルコイル導体及び給電部金具との容量結合の状態が変化しないという製作上の利点がある。
【図面の簡単な説明】
【００２９】
【図１】本発明の二共振アンテナを示す部分断面図。
【図２】本発明に用いるヘリカルコイル導体及びパイプ導体の図。図２（ａ）はヘリカルコイル導体を示す正面図、図２（ｂ）はパイプ導体を示す斜視図。
【図３】本発明に用いる導体固定用の高分子成形体を示す正面図。
【図４】本発明に用いる給電部金具を示す斜視図。
【図５】本発明の二共振アンテナの半製品を示す正面図。
【図６】本発明の二共振アンテナの外観を示す正面図。
【図７】従来例のデュアルバンドアンテナを示す断面図。
【符号の説明】
【００３０】
１１    給電部金具
１２    ヘリカルコイル導体
１３    パイプ導体
１４    導体固定用の高分子成形体
１５    外装用の高分子成形体
１６    空洞
１７    溝
１８    給電部金具との当接面
１９    導体固定用の高分子成形体との当接面
２０    接続用円周面
２１    取り付け部
【図１】
2005175607.tif 000003
【図２】
2005175607.tif 000004
【図３】
2005175607.tif 000005
【図４】
2005175607.tif 000006
【図５】
2005175607.tif 000007
【図６】
2005175607.tif 000008
【図７】
2005175607.tif 000009